(57)【要約】【課題】  コンピュータ装置を使うことなく、一般的なメモリーカードダイレクトプリント機能を有する記録装置を使うことで、より安価でかつ一般の家庭においても実用的な大きさであり容易にユーザーが作曲したデータを印刷した楽譜として手にすることが可能となる作曲支援装置を提供することを目的とする。【解決手段】  本発明の作曲支援装置は、ユーザーが操作した信号を入力し作曲データとして記憶する記憶手段と、作曲データを編集できる編集手段を備えており、メモリーカードダイレクトプリント機能を有する記録装置においてメモリーカードダイレクトプリント可能な楽譜データを作成することを特徴とする。【選択図】  図１
2005134702.tif 000002
【特許請求の範囲】
【請求項１】
ユーザーが操作した信号を入力し作曲データとして記憶する記憶手段と、作曲データを編集できる編集手段を備えており、メモリーカードダイレクトプリント機能を有する記録装置においてメモリーカードダイレクトプリント可能な楽譜データを作成することを特徴とする作曲支援装置。
【請求項２】
前記作曲支援装置であって、メモリーカードスロットを有し、メモリーカードに楽譜データを保存可能とすることを特徴とする請求項１に記載の作曲支援装置。
【請求項３】
ユーザーが操作した信号を入力し作曲データとして記憶する記憶手段と、作曲データを表示する表示手段と、作曲データを表示手段上で編集できる編集手段を備えており、メモリーカードダイレクトプリント機能を有する記録装置においてメモリーカードダイレクトプリント可能な楽譜データを作成することを特徴とする作曲支援装置。
【請求項４】
前記作曲支援装置であって、メモリーカードスロットを有し、メモリーカードに楽譜データを保存可能とすることを特徴とする請求項３に記載の作曲支援装置。
【発明の詳細な説明】
【技術分野】
【０００１】
本発明は作曲支援装置に関するものである。
【背景技術】
【０００２】
従来、ユーザーが作曲したデータを紙での楽譜として手にするには、印刷機能を有する電子楽器にて印刷を行っていた。
【０００３】
また、コンピュータ装置、電子楽器等を用いたシステムを構築し、コンピュータ装置から印刷装置に信号を送り印刷を行う一般的な方法が知られている。
【０００４】
なお、楽譜を印刷可能な構成としては、複数の楽譜データを、五線の種類を示すデータと関連づけて記憶させておき、印刷手段によりプリント部材に印刷出力する構成が特許文献１に記載されている。
【特許文献１】特開平０６−１３５０６６号公報
【発明の開示】
【発明が解決しようとする課題】
【０００５】
しかし、前者の場合には、印刷機能を有しているため、どうしても電子楽器としてのコンパクト性に欠け持ち運びが不便であった。また、後者の場合には、高価で大掛かりなシステムになり、電子楽器を持ち運ぶ場合、構築されているシステムから切り離す必要があり頻繁に行うユーザーにとっては非常に手間がかかっていた。さらには、大掛かりなシステムなため特別な場所が必要になり、一般の家庭への普及に対し障害となっていた。
【０００６】
そこで本発明は、コンピュータ装置を使うことなく、一般的なメモリーカードダイレクトプリント機能を有する記録装置を使うことで、より安価でかつ一般の家庭においても実用的な大きさであり容易にユーザーが作曲したデータを印刷した楽譜として手にすることが可能となる作曲支援装置を提供することを目的とする。
【課題を解決するための手段】
【０００７】
上記目的を達成するため、本発明の作曲支援装置は、ユーザーが操作した信号を入力し作曲データとして記憶する記憶手段と、作曲データを編集できる編集手段を備えており、メモリーカードダイレクトプリント機能を有する記録装置においてメモリーカードダイレクトプリント可能な楽譜データを作成することを特徴とする。
【０００８】
また、本発明の作曲支援装置はメモリーカードスロットを有し、メモリーカードに楽譜データを保存可能とすることを特徴とする。
【０００９】
さらに、本発明の作曲支援装置は、ユーザーが操作した信号を入力し作曲データとして記憶する記憶手段と、作曲データを表示する表示手段と、作曲データを表示手段上で編集できる編集手段を備えており、メモリーカードダイレクトプリント機能を有する記録装置においてメモリーカードダイレクトプリント可能な楽譜データを作成することを特徴とする。
【発明の効果】
【００１０】
従来、ユーザーが作曲したデータを紙での楽譜として手にするには、印刷機能を有する電子楽器にて印刷を行っていたり、またはコンピュータ装置、電子楽器等を用いたシステムを構築し、コンピュータ装置から印刷装置に信号を送り印刷を行う一般的な方法が知られている。
【００１１】
しかし、印刷機能を有しているため、どうしても電子楽器としてのコンパクト性に欠け持ち運びが不便であったり、あるいは高価で大掛かりなシステムになり、電子楽器を持ち運ぶ場合、構築されているシステムから切り離す必要があり頻繁に電子楽器の持ち運びを行うユーザーにとっては非常に手間がかかっていた。さらには、大掛かりなシステムなため特別な場所が必要になり、一般の家庭への普及に対し障害となっていた。
【００１２】
そこで本発明により、より安価でかつ一般の家庭においても実用的な大きさであり容易にユーザーが作曲したデータを印刷した楽譜として手にすることが可能となる作曲支援装置を提供することができる。
【発明を実施するための最良の形態】
【００１３】
（実施例１）
以下、本発明の第一実施例について図面を参照しながら説明する。図１は本発明の第一実施例における作曲支援装置の概略傾斜図である。図１において、鍵盤部１は本体上面手前側に位置し、ユーザーが演奏したデータはディスプレイ部２に表示される。鍵盤部１には複数の鍵盤が存在している。また、操作パネル部３は各種操作ボタンが設置されている。さらにデータを外部に取り出すための、メモリーカードスロット４が設置されている。
【００１４】
ここで、本発明の第一実施例における作曲支援装置の操作について詳しく述べる。
【００１５】
ユーザーはまず、鍵盤部１および操作パネル部３を操作し自分が意図する曲を演奏する。このとき演奏曲のデータは内臓ハードディスク等の記憶部（不図示）に保存されると共に、ディスプレイ部２に表示される。ユーザーはこの工程を繰り返すと共に、修正を加えていくことで、一つの楽曲を作り上げることができる。
【００１６】
完成した楽曲データは操作パネル部３を操作することでメモリーカードスロット４を介し、挿入したメモリーカード５に保存することができる。さらに楽曲データは操作パネル部３を操作することで楽譜データへと変換が可能である。この楽譜データは基本的にメモリーカードダイレクトプリント機能を有する記録装置にて読み込み可能な、例えばＪＰＥＧ形式のデータである。前述したようにこの楽譜データも操作パネル部３を操作することでメモリーカードスロット４を介し、挿入したメモリーカード５に保存することができる。またここで説明しているメモリーカードとは、例えばコンパクトフラッシュ（登録商標）される一般的なものであることは言うまでもない。
【００１７】
次に楽譜データの印刷について、図２を用いて説明する。図２は一般的なメモリーカードダイレクトプリント機能を有するプリンタである。ユーザーは楽譜データの保存されたメモリーダードをプリンタのメモリーカードスロット１０４に挿入する。楽譜データをプリンタが認識した後、ユーザーは操作パネル部１０３を操作し、楽譜全体および印刷したい部分を選択した後に印刷実行を行うことで、印刷された楽譜を手にすることができる。
【００１８】
さらに、本実施例においては電子楽器として鍵盤電子楽器を採用しているが、演奏操作子の操作を検出するスイッチを有すると共に、同スイッチによる演奏操作子の検出に基づいて楽音信号を発生する電子楽器であれば、鍵盤電子楽器以外の電子管楽器、電子打楽器などを用いるようにしてもよい。
【００１９】
（実施例２）
以下、本発明の第二実施例について図面を参照しながら説明する。図３は本発明の第二実施例における作曲支援装置の概略傾斜図である。図３において、鍵盤部２０１は本体上面手前側に位置し、ユーザーが演奏したデータは大型ディスプレイ部２０２に表示される。鍵盤部２０１には複数の鍵盤が存在している。また、操作パネル部２０３は各種操作ボタンが設置されている。さらにデータを外部に取り出すための、メモリーカードスロット２０４が設置されている。
【００２０】
ここで、本発明の第二実施例における作曲支援装置の操作について詳しく述べる。
【００２１】
ユーザーはまず、鍵盤部２０１および操作パネル部２０３を操作し自分が意図する曲を演奏する。このとき演奏曲のデータは内臓ハードディスク等の記憶部（不図示）に保存されると共に、大型ディスプレイ部２０２に表示される。前記大型ディスプレイ部２０２はタッチパネル形式にも対応しており、ユーザーは前記大型ディスプレイ部２０２に表示された楽譜データを直接大型ディスプレイ部２０２上で編集／修正を行うことができる。このとき、直接手で触れて編集／修正してもよいし、電子ペンやマウスなどに代表される電子機器を用いて編集／修正してもよい。この編集／修正されたデータもオリジナルの作曲データと共に、内臓ハードディスク等の記憶部（不図示）に保存されている。
【００２２】
保存されたオリジナルの作曲データ、編集／修正されたデータは大型ディスプレイ部２０２に表示されるだけでなく、操作パネル部２０３を操作することでメモリーカードスロット２０４を介し、挿入したメモリーカード２０５に保存することができる。さらに楽曲データは操作パネル部２０３を操作することで楽譜データへと変換が可能である。この楽譜データは基本的にメモリーカードダイレクトプリント機能を有する記録装置にて読み込み可能な、例えばＪＰＥＧ形式のデータである。前述したようにこの楽譜データも操作パネル部２０３を操作することでメモリーカードスロット２０４を介し、挿入したメモリーカード２０５に保存することができる。またここで説明しているメモリーカードとは、例えばコンパクトフラッシュ（登録商標）される一般的なものであることは言うまでもない。
【００２３】
次に楽譜データの印刷については第一実施例と同様のため、ここでは省略する。
【００２４】
さらに、本実施例においても電子楽器として鍵盤電子楽器を採用しているが、演奏操作子の操作を検出するスイッチを有すると共に、同スイッチによる演奏操作子の検出に基づいて楽音信号を発生する電子楽器であれば、鍵盤電子楽器以外の電子管楽器、電子打楽器などを用いるようにしてもよい。
【図面の簡単な説明】
【００２５】
【図１】本発明の第一実施例における作曲支援装置の概略傾斜図である。
【図２】本発明の第一、二実施例におけるメモリーカードダイレクトプリント機能を有する記録装置の概略斜視図である。
【図３】本発明の第二実施例における作曲支援装置の概略傾斜図である。
【符号の説明】
【００２６】
１  鍵盤部
２  ディスプレイ部
３  操作パネル部
４  メモリーカードスロット
５  メモリーカード
１０３  操作パネル部
１０４  メモリーカードスロット
２０１  鍵盤部
２０２  ディスプレイ部
２０３  操作パネル部
２０４  メモリーカードスロット
２０５  メモリーカード
【図１】
2005134702.tif 000003
【図２】
2005134702.tif 000004
【図３】
2005134702.tif 000005